(57)【要約】【課題】自助具を容器内に収納するには、容器の深さよりも短い自助具でなければ収納することが出来ない。また、容器内の自助具は手を挿入し取り出す必要があり、手が汚れてしまう。液体または粉状の物が充填されている場合、自助具を容器内に収納すると自助具が底まで落ち、挟持部分が汚れるので容器内で落ちないように自助具を支持する必要があった。自助具の収納、取り出しを容易にし、自助具交換可能かつ、容器蓋自体が自助具の把持部となる保存容器蓋を提供する。【解決手段】密封性の高い容器本体１と蓋体Ａ２、蓋体Ｂ３で構成される保存容器と、蓋体Ｂ３に枢支された着脱可能な自助具５を設け、蓋体Ｂ３を容器本体１から外すと自助具５の狭持部となることを特徴とする保存容器。【選択図】図１
2012162312.tif 000002
【特許請求の範囲】
【請求項１】
容器蓋と自助具を一体的に連結し、容器蓋自体が自助具の把持部となる蓋体に、着脱可能な自助具を枢支させた蓋体を設けた自助具一体型蓋付き保存容器。
【発明の詳細な説明】
【技術分野】
【０００１】
本発明は、保存容器の蓋の開閉、自助具(スプーン、フォークなど)の収納と使用を容易にした保存容器に関するものである。
【背景技術】
【０００２】
今日、保存容器はさまざまな場面で利用されており、食品、洗剤、吻合物などを保存するため、さまざまな形状、機能、素材をもった保存容器が販売されている。
例えば、容器の蓋が容易に開閉できることで、手の力が弱い方、手の不自由な方、また片手での容器の開閉が可能な保存容器もある。(特許文献１)また、容器内に充填された物を取り出すためのスプーンが蓋の裏に収納され、着脱できる容器などさまざまな商品が販売されている。(特許文献２)
日常生活では、充填された容器内から自助具を使用し中身を取り出している。容器の大きさによっては、スプーンなどを容器内に収納し保存することもある。しかし再度使用する時には自助具は容器の底まで落ち、手を挿入し自助具を取り出すが、充填された物質で挟持部分に付着し、手を汚してしまう。そのたびに、自助具を洗浄、また物質を拭き取るといった作業が行われる。
【先行技術文献】
【特許文献】
【０００３】
【特許文献１】特開２００７−９９２９４号  公報
【特許文献２】実開平７−４０５２３号  公報
【発明の概要】
【発明が解決しようとする課題】
【０００４】
容器内に充填された物質を取り出すため、自助具を使用するにも保存容器は、さまざまな大きさ、深さ、形状がある。また充填された物質を容易に取り出すことを考慮した自助具が必要となる。
【０００５】
容器内に収納された自助具で充填された物質を取り出すには、容器の深さよりも短い自助具でなければ容器内に収納することが出来ない。また、容器内の自助具は手を挿入し取り出す必要があり、手が汚れてしまう。
【０００６】
液体または、粉状の物が充填されている場合、自助具を容器内に収納すると自助具が底まで落ち挟持部分が汚れるので、底まで落ちないよう容器内に自助具を支持する必要がある。
【課題を解決するための手段】
【０００７】
容器内の自助具は指を挿入せず取り出せるよう、容器内で蓋に自助具を枢支させ、蓋の開閉と自助具を一体的に連動させる。
【０００８】
蓋を開けたと同時に自助具も持ち上がるよう枢支させ、その蓋自体が自助具の挟持部分となるように自助具と蓋が重合または嵌合させる。
【０００９】
容器内に充填された物質に合わせた自助具に交換できるように、蓋と自助具は着脱が出来るように枢支させる。
【発明の効果】
【００１０】
蓋と自助具を枢支させることで、蓋を開けたと同時に自助具も容器内から取り出せるので、容易に容器内から自助具を取り出すことが可能となり、持ちかえることなく使用することができるので、手を汚すことがなくなる。また、自助具を使用するための挟持部分が蓋なので、容器内の物質が挟持部分に付着することがなく衛生的に使用できる。
【００１１】
自助具を交換することで、充填された物質の特性、用途に合わせて自助具の構造や素材を選択し、物質を取り出しやすくする。また、使用する目的に合わせて自助具を交換し作業を行うことができる。
【００１２】
機密性の高い保存容器に容易に開閉ができる蓋体と、容器内の物質を取り出すための着脱式自助具を収納させ、蓋体の開閉と自助具が連動的かつ、一体的に作業が可能な保存容器ができる。
【図面の簡単な説明】
【００１３】
【図１】本発明の正面図の中央断面図
【図２】本発明の蓋体Ｂ３の開閉の斜視図
【図３】蓋体Ｂ３と自助具の斜視図
【図４】自助具の着脱方法の実施例を示す断面図
【発明を実施するための形態】
【実施例１】
【００１４】
本発明の一実施例を図面に基づいて説明する。
【００１５】
図１の実施例は、容器本体１に蓋体Ａ２が巻締められた機密性の高い係止部７と、蓋体Ａ２に蓋体Ｂ３が結合され、弾性体９により機密性が高い状態で密閉されている。
【００１６】
図２に示したように、容器本体内には蓋体Ｂ３の吊設部８から自助具５が枢支し、蓋体Ａ２と係止されている蓋体Ｂ３を開くと自助具５と一体的に取出される。
【００１７】
図３に示したように、蓋体Ｂ３を取り出すと自助具５は蓋体Ｂ３に追動し、結合突起６方向に柄１０は回動され、図４の係止凹部１３と係止凸部１６が結合する。また、自助具５は完全に結合されない状態でも使用可能である。
【００１８】
この際、自助具５を使用するには蓋体Ｂ３の容器内部面に触れることがなく、容器外部面と係止片４をつかむことで、自助具で作業を行うことが可能である。例えば、容器内から食品、調味料などの物質１２を取り出し、他の容器に入れるなどの作業であれば内部面に触れずに作業が可能である。また、作業に応じて自助具５を蓋体Ｂ３に結合させ、蓋体Ｂ３の容器内面と外面をしっかり挟持しながら作業を行うことも可能である。
【００１９】
作業を終え自助具を容器内にしまう方法は、自助具５の先端１１から容器内に挿入し、自助具を収納しながら蓋体Ｂ３の結合突起６を結合孔１４に挿入する。次に係止片４を係止突起１７に係止させる。
【００２０】
従って、蓋体Ｂ３に自助具５を枢支させることで、蓋体Ｂ３を開けたと同時に自助具５も容器内から取り出せるので、容易に容器内から自助具５を取り出すことが可能となり、手を汚すことがなくなる。また、自助具５を使用するための挟持部分が蓋体Ｂ３なので、容器内の物質１２が挟持部分に付着することがなくなる。
【００２１】
図４に示したように、自助具の着脱方法は、吊設部８の凹陥部１５から突起部１８を外し、用途に合わせて自助具５の交換が可能。これによって、自助具５の構造や素材を選択し、物質を取り出しやすくするなど、使用する目的に合わせて自助具を交換し作業を行うことができる。
【００２２】
自助具を取り付けるには、突起部１８を凹陥部１５に係止させ枢支するように取り付ける。吊るされた自助具５を固定するには、係止凸部１６と係止凹部１３を嵌め合わすことで、図３で示すような蓋体Ｂ３と自助具５の状態となり、より安定した作業が可能となる。蓋体Ｂ３と自助具５の係止方法はこれに限定されるものではない。
【符号の説明】
【００２３】
１…容器本体、２…蓋体Ａ、３…蓋体Ｂ、４…係止片、５…自助具、６…（蓋体Ａ２と蓋体Ｂ３の）結合突起、７…（容器本体１と蓋体Ａ２の）係止部、８…吊設部、９…弾性体、１０…柄、１１…先端、１２…物質、１３…（蓋体Ｂ３と自助具の）係止凹部、１４…結合孔、１５…凹陥部、１６…係止凸部、１７…係止突起、１８…突起部
【図１】
2012162312.tif 000003
【図２】
2012162312.tif 000004
【図３】
2012162312.tif 000005
【図４】
2012162312.tif 000006